【事件の表示】
　特願２０１８−１５０１２０「強化されたモバイル電力管理のための装置および方法」拒絶査定不服審判事件〔平成３０年１２月２０日出願公開、特開２０１８−２０１２３０、請求項の数（８）〕について、次のとおり審決する。
【結　論】
　原査定を取り消す。
　本願の発明は、特許すべきものとする。
【理　由】
第１　手続の経緯
　本願は、２０１３年（平成２５年）８月９日（パリ条約による優先権主張　外国庁受理　２０１２年１２月４日　中国）を国際出願日とする特願２０１５−５４４３２４号の一部を、平成３０年８月９日に新たな特許出願としたものであって、その手続の経緯は以下のとおりである。
　平成３０年　８月１４日　　　手続補正書の提出
　平成３１年　４月　９日付け　拒絶理由通知書
　令和　元年　６月２０日　　　意見書、手続補正書の提出
　令和　元年　８月３０日付け　拒絶査定
　令和　元年１１月２１日　　　拒絶査定不服審判の請求、手続補正書の提
　　　　　　　　　　　　　　　出
　令和　２年　３月１７日　　　上申書の提出
　令和　２年　６月１０日　　　上申書の提出
　令和　２年１０月　７日付け　拒絶理由通知書（当審）
　令和　３年　１月　４日　　　意見書、手続補正書の提出の提出
第２　原査定の概要
　原査定（令和元年８月３０日付け拒絶査定）の概要は次のとおりである。
２．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
３．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
●理由２（特許法第２９条第１項第３号）について
・請求項　１−２、４−９、１１−１２、１４
・引用文献等　１
●理由３（特許法第２９条第２項）について
・請求項　１−２、４−６、８−９、１１−１２、１４
・引用文献等　１
・請求項　３
・引用文献等　１−４
・請求項　７
・引用文献等　１−２
・請求項　１０
・引用文献等　１
・請求項　１３
・引用文献等　１、５−６
１.国際公開第２０１１／１２３７４４号
２.特開２００３−１６９０１１号公報
３.特開２０１０−１１４６５９号公報
４.特開２００１−２５１２３４号公報
５.国際公開第２０１１／０８３９９７号
６.特開２０１２−１４２９４２号公報
第３　当審拒絶理由の概要及び当審拒絶理由についての判断
１．当審拒絶理由の概要は次のとおりである。
理由１．（実施可能要件）この出願は、発明の詳細な説明の記載が下記の点で、特許法第３６条第４項第１号に規定する要件を満たしていない。
理由２．（サポート要件）この出願は、特許請求の範囲の記載が下記の点で、特許法第３６条第６項第１号に規定する要件を満たしていない。
理由３．（明確性）この出願は、特許請求の範囲の記載が下記の点で、特許法第３６条第６項第２号に規定する要件を満たしていない。
　　　　　　　　　　記
（１）請求項１に「デバイスの特性および／またはしきい値」と記載されているが、「デバイスの」の係り受けが不明確であり、「デバイスのしきい値」とすると、「デバイスのしきい値」とはどのようなしきい値か不明確である。
　請求項１を引用している従属請求項についても同様に不備がある。
　したがって、請求項１〜１４に係る発明は不明確である。（明確性）
（２）請求項１の「識別するステップ」で識別した結果が請求項１ではどのように利用されるか記載されておらず、他のステップとの関係が不明確である。
　請求項１を引用している従属請求項についても同様に不備がある。
　したがって、請求項１〜１４に係る発明は不明確である。（明確性）
（３）請求項１に「前記UEを指定する信号を含む定常超長期バッテリーデバイス指示をネットワークエンティティに送信するステップ」と記載されているが、「UEを指定する信号」とは何を示している信号であるか不明確であり、「定常超長期バッテリーデバイス指示」とはどのような指示をするのか不明確であり、「定常超長期バッテリーデバイス指示」の指示と「UEを指定する信号」との関係も不明確である。
　また、「前記UEを指定する信号を含む定常超長期バッテリーデバイス指示をネットワークエンティティに送信するステップ」と発明の詳細な説明との対応関係が不明である。
　例えば段落４５には「UE12は、定常超長期バッテリーデバイス設定38を有するとしてUE12を指定する新しいUE機能ビットまたは信号の形態で、定常超長期バッテリーデバイス表示40を送信し得る」と「定常超長期バッテリーデバイス表示」と記載されており、請求項１の「定常超長期バッテリーデバイス指示」とは記載されておらず、日本語としては「表示」と「指示」では意味が相違する。
　また、段落４５では「UE12を指定する・・・信号の形態で、定常超長期バッテリーデバイス表示40を送信し得る」と記載されており、「UEを指定する信号」は「定常超長期バッテリーデバイス表示」であるのに対し、請求項１では「UEを指定する信号」が何を指定しているか不明確であり、「定常超長期バッテリーデバイス指示」の指示との関係も不明であるから、発明の詳細な説明のどの構成を規定しているか不明である。
　請求項１を引用している従属請求項についても同様に不備がある。
　したがって、請求項１〜１４に係る発明は不明確であり、発明の詳細な説明との対応関係が不明である。（明確性、サポート要件）
（４）請求項１に「前記UEを指定する信号を含む定常超長期バッテリーデバイス指示をネットワークエンティティに送信する前記ステップに応答して、前記ネットワークエンティティが前記定常超長期バッテリーデバイス指示に基づいて前記UEが前記定常超長期バッテリーデバイス設定に従って動作していると識別した後、測定しきい値調整メッセージを受信するステップ」と記載されているが、「前記UEを指定する信号を含む定常超長期バッテリーデバイス指示をネットワークエンティティに送信する前記ステップに応答して、」の係り受けが不明確であり、「識別した後」に係るのか、又は「測定しきい値調整メッセージを受信する」に係るのか不明確であるから、「前記UEを指定する信号を含む定常超長期バッテリーデバイス指示をネットワークエンティティに送信する前記ステップに応答して、」動作する主体がネットワークエンティティなのかUEなのか不明確である。
　請求項１を引用している従属請求項についても同様に不備がある。
　したがって、請求項１〜１４に係る発明は不明確である。（明確性）
（５）請求項４の「電源の充電または交換のためにアクセスすることが困難なエリア内に配置されていることに基づいて、ユーザ機器(UE)が定常超長期バッテリーデバイス設定に従って動作していると識別するステップ」の記載について、「アクセス」とは通信のことか，電源の充電または交換のためとのことから人のアクセスか不明であり、「電源の充電または交換のためにアクセスすることが困難なエリア」とはどのようなエリアか不明である。また、「電源の充電または交換のためにアクセスすることが困難なエリア内に配置されていること」は引用している請求項１の「デバイスの特性および／またはしきい値」とは無関係であるから、請求項１の識別するステップと請求項４の構成の関係が不明である。
　そして、発明の詳細な説明の段落２３に「UE12は、電源の充電または交換のためにUE12にアクセスすることが非常に困難なエリア内に配置されることがある」と記載されているが、「電源の充電または交換のためにアクセスすることが困難なエリア内に配置されていることに基づいて、・・・識別する」ことは発明の詳細な説明に記載されていない。さらに、「電源の充電または交換のためにアクセスすることが困難なエリア内に配置されている」ことをユーザ機器（ＵＥ）においてどのように検出することができるのか不明であるから、「電源の充電または交換のためにアクセスすることが困難なエリア内に配置されていることに基づいて、ユーザ機器(UE)が定常超長期バッテリーデバイス設定に従って動作していると識別するステップ」をユーザ機器（ＵＥ）においてどのように行うか当業者が実施しうる程度に発明の詳細な説明に記載されていない。
　したがって、請求項４に係る発明は不明確であり、発明の詳細な説明との対応関係が不明であり、発明の詳細な説明は請求項４に係る発明を実施しうる程度に記載されていない。（明確性、サポート要件、実施可能要件）
（６）請求項８に「前記測定しきい値調整メッセージを受信するステップが、ネットワークエンティティからシステム情報ブロック(SIB)を受信するステップを含む」と記載されているが、発明の詳細な説明の段落２８に「SIBは、・・・ブロードキャストチャネル・・・上でUE12に送信され得る」と記載されているように、SIBはブロードキャストされる。一方、引用している請求項１の「前記UEを指定する信号を含む定常超長期バッテリーデバイス指示をネットワークエンティティに送信する前記ステップに応答して、前記ネットワークエンティティが前記定常超長期バッテリーデバイス指示に基づいて前記UEが前記定常超長期バッテリーデバイス設定に従って動作していると識別した後、測定しきい値調整メッセージを受信するステップ」は１対１通信を意図しておりブロードキャストを意図しているとは読み取れない。よって、請求項８の構成と引用する請求項１の測定しきい値調整メッセージを受信するステップの関係が不明確である。
　請求項８を引用している従属請求項についても同様に不備がある。
　したがって、請求項８〜１０に係る発明は不明確である。（明確性）
（７）請求項１０に「UE固有の測定または再選択設定パラメータを受信するステップ」と記載され、請求項１０が引用する請求項９にも「UE固有の測定または再選択設定パラメータを受信するステップ」と記載されており、両者のステップの関係が不明確である。
　したがって、請求項１０に係る発明は不明確である。（明確性）
（８）請求項１０の「レガシーセル再選択パラメータ、HCSパラメータ、絶対優先度再選択パラメータ、および周波数内/周波数間パラメータ」と「アイドルモード測定または再選択設定パラメータ」の関係が不明であり、請求項１０ではどのようなパラメータを受信するのか不明確である。
　したがって、請求項１０に係る発明は不明確である。（明確性）
（９）請求項１２に「前記UEをより長い持続時間の間変化しないままであるか、またはより長い動作時間を有するように設定するステップ」と記載されているが、「より長い持続時間の間変化しない」とは長い持続時間の間何が変化しないのか不明確であり、また、「より長い動作時間」とは何の動作時間か不明確であり、そして、「より長い」とは何より長いのか不明であるから、請求項１２は日本語として意味不明である。
　また、請求項１２の構成と引用する請求項１の「デバイスの特性および／またはしきい値」との関係も不明確であるから、請求項１２のステップと引用する請求項１のステップの関係も不明確である
　請求項１２を引用している従属請求項についても同様に不備がある。
　したがって、請求項１２〜１３に係る発明は不明確である。（明確性）
（１０）請求項１３の構成は引用する請求項１の「デバイスの特性および／またはしきい値」ではないことから、請求項１３のステップと引用する請求項１の設定するステップとの関係も不明確である。
　したがって、請求項１３に係る発明は不明確である。（明確性）
２．上記拒絶理由について検討する。
　令和３年１月４日にされた手続補正により、
ａ．請求項１の「デバイスの特性および/またはしきい値」を「デバイスの特性、および/またはしきい値」に補正することにより、拒絶理由（１）は解消された。
ｂ．請求項１の定常超長期バッテリーデバイス表示をネットワークエンティティに送信するステップに、「前記識別するステップにおいて識別された後、」という発明特定事項を追加する補正をすることで、拒絶理由（２）は解消された。
ｃ．請求項１の「前記UEを指定する信号を含む定常超長期バッテリーデバイス指示をネットワークエンティティに送信する」という記載を「前記定常超長期バッテリーデバイス設定を有するとして前記UEを指定する信号を含む定常超長期バッテリーデバイス表示をネットワークエンティティに送信する」に補正し、請求項１の「定常超長期バッテリーデバイス指示」を「定常超長期バッテリーデバイス表示」に補正することにより、拒絶理由（３）は解消された。
ｄ．請求項１の「前記UEが前記定常超長期バッテリーデバイス設定に従って動作していると識別した後、測定しきい値調整メッセージを受信するステップと」という記載を、「前記UEが前記定常超長期バッテリーデバイス設定に従って動作していると識別した後、前記UEが測定しきい値調整メッセージを受信するステップと」に補正することにより、拒絶理由（４）は解消された。
ｅ．請求項４、８ないし１０、１２、１３を削除することにより、拒絶理由（５）ないし（１０）は解消された。
　以上のとおりであるから、令和３年１月４日にされた手続補正により、当審拒絶理由は全て解消された。
第４　本願発明について
　本願の請求項１ないし８に係る発明（以下、それぞれ「本願発明１」ないし「本願発明８」という。）は、令和３年１月４日の手続補正により補正された特許請求の範囲の請求項１ないし８に記載された事項により特定される発明であり、本願発明１ないし８は以下のとおりの発明である。
「　　【請求項１】
　ワイヤレス通信ネットワークにおける電力管理の方法であって、
　デバイスの特性、および/またはしきい値に基づいて、ユーザ機器(UE)が定常超長期バッテリーデバイス設定に従って動作していると識別するステップと、
　前記識別するステップにおいて識別された後、前記定常超長期バッテリーデバイス設定を有するとして前記UEを指定する信号を含む定常超長期バッテリーデバイス表示をネットワークエンティティに送信するステップと、
　前記定常超長期バッテリーデバイス設定を有するとして前記UEを指定する前記信号を含む定常超長期バッテリーデバイス表示をネットワークエンティティに送信する前記ステップに応答して、前記ネットワークエンティティが前記定常超長期バッテリーデバイス表示に基づいて前記UEが前記定常超長期バッテリーデバイス設定に従って動作していると識別した後、
　前記UEが測定しきい値調整メッセージを受信するステップと、
　前記測定しきい値調整メッセージに基づいてアイドルモードセル測定しきい値を調整するステップと
　を含む、方法。
　　【請求項２】
　前記UEがマシンタイプ通信デバイスであることに基づいて、定常超長期バッテリーデバイス設定を識別するステップをさらに含む、請求項1に記載の方法。
　　【請求項３】
　前記UEの電源が電源しきい値未満であることに基づいて、ユーザ機器(UE)が定常超長期バッテリーデバイス設定に従って動作していると識別するステップを含む、請求項1に記載の方法。
　　【請求項４】
　前記アイドルモードセル測定しきい値を調整するステップが、現在の測定しきい値から減少したアイドルモード測定しきい値に前記アイドルモードセル測定しきい値を減少させるステップを含む、請求項1に記載の方法。
　　【請求項５】
　前記アイドルモードセル測定しきい値を調整するステップが、セル測定の数または頻度を低減するステップを含む、請求項1に記載の方法。
　　【請求項６】
　前記アイドルモードセル測定しきい値を調整するステップが、前記UEの専用プロパティを調整するステップを含み、前記専用プロパティを調整するステップが、少なくとも1つのアイドルモードセル測定または再選択優先度を調整するステップを含む、請求項1に記載の方法。
　　【請求項７】
　前記測定しきい値調整メッセージを受信するステップが、ネットワークエンティティから専用RRCシグナリングメッセージを受信するステップをさらに含む、請求項1に記載の方法。
　　【請求項８】
　プロセッサによって実行されたとき、請求項1に記載の方法を実施する命令を備える、コンピュータ可読記憶媒体。」
第５　引用発明について
１．引用例１について
　原査定の拒絶の理由に引用された国際公開第２０１１／１２３７４４号（以下、「引用例１」という。）には、図面とともに次の記載がある。（下線は当審が付与。）
（１）「TECHNICAL FIELD 
[0002] 
This application is related to mobility procedures for wireless communication systems
（略）
SUMMARY
[0006] Methods and devices for optimizing utilization of network resources and UE are described herein. 
In order 
to conserve power on the UE, new mobility procedures may be defined for devices in low mobility or no mobility states. A wireless transmit/receive unit (WTRU) may determine that is operating in a low mobility state based on triggers related to the frequency of movement of the WTRU between network cells.
Upon determining that the WTRU is in the low or no mobility state, the WTRU may configure mobility procedures associated with the low or no mobility state in order to conserve power and other network resources.
 [0007] The WTRU may receive the mobility procedures or parameters related to the mobility procedures from the wireless network. The procedures may be designed to optimize power consumption or signaling overhead for the defined mobility states. The WTRU may detect triggers related to signal quality or other network parameters to determine if it should transition into or out of a low or no mobility state. The WTRU may inform the network that it has changed mobility states or it may request permission from the network to change mobility states.」
（当審訳：
技術分野
［０００２］
本出願は、無線通信システム
のためのモビリティプロシージャ（mobility procedure）に関する
（略）
要約
［０００６］　ネットワークリソース及びＵＥの利用を最適化する方法及び装置が、本明細書で説明される。過度なシグナリングオーバヘッドを防止し、
ＵＥの電力を節約するため、低移動度（low mobility state）又は移動度無し状態（no mobility state）にある装置に対し、新規のモビリティプロシージャを定義することができる。無線送信／受信ユニット（ＷＴＲＵ）は、ネットワークセルの間をＷＴＲＵが移動する頻度に関係するトリガに基づいて、低移動度状態で稼動していることを判定することができる。
ＷＴＲＵが低移動度状態又は移動度無し状態にあると判定すると、当該ＷＴＲＵは低移動度状態又は移動度無し状態に関連するモビリティプロシージャを構成し、電力及びその他のネットワークリソースを節約することができる。
［０００７］　ＷＴＲＵは、モビリティプロシージャ又は当該モビリティプロシージャに関係するパラメータを無線ネットワークから受信することができる。定義された移動度状態に対する電力消費又はシグナリングオーバヘッドを最適化するために、当該プロシージャを設計してもよい。ＷＴＲＵは、信号品質に関係するトリガ、又はその他のネットワークパラメータを検出して、当該ＷＴＲＵが低移動度状態もしくは移動度無し状態へ、又はそれらの状態から遷移すべきかを判定することができる。ＷＴＲＵは移動度状態を変更したことをネットワークに情報提供し、又は移動度状態を変更するための許可をネットワークに要求することができる。）
（２）「[0050] To optimize a UE device, for example an MTC device, in its various mobility states, techniques are disclosed herein that allow a UE to perform a reduced set of measurements in each respective mobility state. 
（略）
[0051] In an embodiment for reduced measurement, a UE may perform serving cell and/or neighbor cell measurements less frequently than in other states.
（略）
[0053] 
In another embodiment for reduced measurements, a UE may monitor the serving cell and trigger neighbor cell measurements when the serving cell measurement goes below a predefined threshold. In this scenario, the UE may perform no neighbor cell measurements while a serving cell measurement is above the predetermined threshold,
For example, if the UE is a MTC device, the threshold may be a MTC specific threshold configured by the network. The threshold may be configured by the network for all devices in a no mobility state and/or the low mobility state. 
[0054] In another example, 
the network may provide a single predefined threshold and a scaling factor may be applied to this threshold depending on the mobility state.
the UE may scale a common threshold value, e.g., Ｓintrasearch , by this scaling factor.
（当審訳：
［００５０］　様々な移動度状態にあるＵＥデバイス、例えば、ＭＴＣデバイス、を最適化するのに、ＵＥはそれぞれの移動度状態における軽減した測定のセットを実行することができることがここで開示されている。
（略）
［００５１］　軽減した測定についての実施例では、ＵＥはその他の状態よりもサービングセル及び／又は隣接セルの測定の実行頻度を少なくすることができる。
（略）
［００５３］　
軽減した測定についての別の実施例では、ＵＥはサービングセルをモニタリングし、サービングセルが所定の閾値を下回るときに、隣接セルの測定をトリガ（始動）してもよい。このシナリオでは、ＵＥはサービングセルの測定値が所定の閾値を上回っている間は、隣接セルの測定を行わなくてもよく、
例えば、ＵＥがＭＴＣデバイスである場合、当該閾値はネットワークにより構成されたＭＴＣ固有の閾値としてもよい。当該閾値は、移動度無し状態及び／又は低移動度状態にある全ての装置に対して、ネットワークにより構成されてもよい。
［００５４］　別の実施例では、
ネットワークは単一の所定の閾値、及び移動度状態に応じて当該閾値に適用されうるスケーリングファクタを提供してもよい。
ＵＥはこのスケーリングファクタにより共通閾値（例えば、Ｓintrasearch）を増減させてもよい。
（３）「[0091] 
In support of the state transitions, there may be some coordination between the UE and the network.
For some parameters, such as the DRX period, periodic update timers, etc., the network and the UE may need to be synchronized.
[0092] Consider a situation in which state transition criteria are met. Coordination between the network and the UE may be desirable. In a first example, the UE may autonomously perform a state transition and not update the network. Alternatively, the UE may autonomously perform the state transition and indicate the state transition to the network. In another example,
 the UE may indicate to the network that the trigger has been met and wait for an explicit indication by the network to move to one of the configured states.
（当審訳：
［００９１］　
状態遷移のサポートにおいて、ＵＥとネットワークとの間で、ある調整がされてもよい。
ＤＲＸ期間、定期的な更新タイマなどのいくつかのパラメータについて、ネットワーク及びＵＥは同期される必要がある場合がある。
［００９２］　状態遷移基準が満たされる状態を考える。ネットワークとＵＥとの間の調整が望ましい場合がある。第１の例では、ＵＥは自発的に状態遷移を実行し、ネットワークの更新を行わなくてもよい。代わりに、ＵＥは自発的に状態遷移を実行し、ネットワークに対して状態遷移を指示してもよい。別の例では、
ＵＥはネットワークに対してトリガが満たされたことを指示し、当該ネットワークによる明確なインジケーションを待って、構成された状態のうちの１つへ移動してもよい。
　上記記載及び当業者における技術常識からみて、
ａ．上記（１）の段落２に「本出願は、無線通信システム・・・のためのモビリティプロシージャ（mobility procedure）に関する」と記載されていることから無線通信システムが前提であることは明らかである。
　また、上記（１）の段落６に「ＵＥの電力を節約するため、・・・新規のモビリティプロシージャを定義することができる。」と記載されていることから、ＵＥの電力を節約するための方法が記載されているといえる。
　よって、引用例１には、無線通信システムのＵＥの電力を節約するための方法が記載されているといえる。
ｂ．上記（２）の段落５３の「軽減した測定についての別の実施例では、ＵＥはサービングセルをモニタリングし、サービングセルが所定の閾値を下回るときに、隣接セルの測定をトリガ（始動）してもよい。このシナリオでは、ＵＥはサービングセルの測定値が所定の閾値を上回っている間は、隣接セルの測定を行わなくてもよく」との記載から、軽減した測定のために、ＵＥはサービングセルの測定値が所定の閾値を上回っている間は、隣接セルの測定を行わない。
　また、上記（２）の段落５３の「例えば、ＵＥがＭＴＣデバイスである場合、当該閾値はネットワークにより構成されたＭＴＣ固有の閾値としてもよい。当該閾値は、移動度無し状態及び／又は低移動度状態にある全ての装置に対して、ネットワークにより構成されてもよい。」との記載から、閾値は、ＭＴＣデバイスであるか否かや、移動度無し状態及び／又は低移動度状態にあるかでネットワークにより変更されるといえる。
　そして、上記（２）の段落５４の「ネットワークは単一の所定の閾値、及び移動度状態に応じて当該閾値に適用されうるスケーリングファクタを提供してもよい。・・・ＵＥはこのスケーリングファクタにより共通閾値（例えば、Ｓintrasearch）を増減させてもよい。」との記載から、ネットワークは閾値としてＳintrasearch及び移動度状態に応じて当該閾値に適用されうるスケーリングファクタを提供するといえる。
　よって、軽減した測定のために、ＵＥはサービングセルの測定値が所定の閾値を上回っている間は、隣接セルの測定を行わなく、閾値は、ＭＴＣデバイスであるか否かや、移動度無し状態及び／又は低移動度状態にあるかでネットワークにより変更され、ネットワークは閾値としてＳintrasearch及び移動度状態に応じて当該閾値に適用されうるスケーリングファクタを提供するといえる。
ｃ．上記（３）の段落９１の「状態遷移のサポートにおいて、ＵＥとネットワークとの間で、ある調整がされてもよい。」との記載、「ＤＲＸ期間、定期的な更新タイマなどのいくつかのパラメータについて、ネットワーク及びＵＥは同期される必要がある場合がある。」との記載及び段落９２の「ＵＥはネットワークに対してトリガが満たされたことを指示し、当該ネットワークによる明確なインジケーションを待って、構成された状態のうちの１つへ移動してもよい。」との記載から、ＤＲＸ期間、定期的な更新タイマなどのいくつかのパラメータであって、ネットワーク及びＵＥは同期される必要がある場合は、ＵＥとネットワークとの間で調整が行われ、ＵＥはネットワークに対してトリガが満たされたことを指示し、当該ネットワークによる明確なインジケーションを待って、ＵＥは１つの状態へ移動するといえる。
　以上を総合すると、引用例１には、次の発明（以下、「引用発明１」という。）が記載されていると認められる。
「無線通信システムのＵＥの電力を節約するための方法であって、
　軽減した測定のために、ＵＥはサービングセルの測定値が所定の閾値を上回っている間は、隣接セルの測定を行わなく、
　閾値は、ＭＴＣデバイスであるか否かや、移動度無し状態及び／又は低移動度状態にあるかでネットワークにより変更され、
　ネットワークは閾値としてＳintrasearch及び移動度状態に応じて当該閾値に適用されうるスケーリングファクタを提供し、
　ＤＲＸ期間、定期的な更新タイマなどのいくつかのパラメータであって、ネットワーク及びＵＥは同期される必要がある場合は、ＵＥとネットワークとの間で調整が行われ、ＵＥはネットワークに対してトリガが満たされたことを指示し、当該ネットワークによる明確なインジケーションを待って、ＵＥは１つの状態へ移動する
　を含む、方法。」
２．引用例２ないし４について
（１）原査定の拒絶の理由に引用された特開２００３−１６９０１１号公報（以下、「引用例２」という。）には、図面とともに次の記載がある。（下線は当審が付与。）
「【００８７】記憶部１６の節電モード情報がＯＮの場合、制御部１４は、電源残量検出部１８からの検出信号に基づいて、
電源電圧Ｖが第１のしきい値電圧Ｖ１より低いか否か判定する
電源電圧Ｖが第１のしきい値電圧以上の場合は、
通常のセルサーチ動作を行なう
【００８８】
一方、電源電圧Ｖが、第１のしきい値電圧Ｖ１より低い場合は
監視セルの数を予め定められたｍ個に制限する。
（２）原査定の拒絶の理由に引用された特開２０１０−１１４６５９号公報（以下、「引用例３」という。）には、図面とともに次の記載がある。（下線は当審が付与。）
「【００５７】
　また、上記第２の実施形態では、
バッテリ残量に応じて、最大スリープ時間Ｔｍａｘを増加させるようにしている
【００５８】
　したがって、本発明に係る移動通信端末は、
探索時間が長時間に渡ってしまう場合であっても、消費電力の増大を抑え、効率的に節電しながら間欠探索動作を行うことができる
（３）原査定の拒絶の理由に引用された特開２００１−２５１２３４号公報（以下、「引用例４」という。）には、図面とともに次の記載がある。（下線は当審が付与。）
「【００２５】制御処理部７は、ＣＰＵ（Central Processing Unit）等のマイクロプロセッサから構成され、この移動電話装置１００全体の動作を制御するためのものであり、移動電話装置１００が通信サービス圏外にあるときに、電池６ａの電圧レベルを監視する。この際、制御処理部７は、
電池６ａの電圧レベルが低下するに従って、止まり木チャネルのスキャンを実行する時間間隔が長くなるように動作を制御する
　以上を総合すると、引用例２−４に記載されているように、次の技術的事項（以下、「技術的事項２」という。）は周知である。
「端末の電池残量が所定値以下になった場合にセルサーチを低電力状態で動作させる。」
３．引用例５について
　原査定の拒絶の理由に引用された国際公開第２０１１／０８３９９７号（以下、「引用例５」という。）には、図面とともに次の記載がある。（下線は当審が付与。）
「
」
（当審訳：
【００５８】
　図２において、マシンタイプ通信端末機230は自動車に組み込まれて搭載されたマシンタイプ通信端末機を示す。この場合、
ユーザはユーザノード241を用いてマシンタイプ通信機能を制御するかまたはマシンタイプ通信端末機240が提供する別途のユーザインターフェースを通じてマシンタイプ通信機能を制御及び設定することができる。
　以上を総合すると、引用例５には、次の技術的事項（以下、「技術的事項５」という。）が記載されていると認められる。
「ユーザ入力を介してＭＴＣ端末の設定を行う。」
４．引用例６について
　原査定の拒絶の理由に引用された特開２０１２−１４２９４２号公報（以下、「引用例６」という。）には、図面とともに次の記載がある。（下線は当審が付与。）
「【０００３】
　3GPP TS 23.060仕様, v10.1.0(TS 23.060 仕様と称される)および3GPP TS 24.008 仕様, v10.1.0(24.008仕様と称される)に従うLTE技術を例とする。
　遅延に対し耐性があることを示す移動局(Mobile Station、MS)は、低優先度のインジケーター(low priority indicator)またはMTCインジケーターを定義する。
　MEは、
製造の過程でMTCに設定される
時、
加入者識別モジュール(Subscriber Identity Module)/汎用加入者識別モジュール(Universal Subscriber Identity Module、SIM/USIM)オーバージエア(Over-The-Air、OTA)により設定される。
　以上を総合すると、引用例６には、次の技術的事項（以下、「技術的事項６」という。）が記載されていると認められる。
「ＯＴＡを介してＭＴＣ端末の設定を行う。」
第６　対比・判断
１．本願発明１について
（１）対比
　本願発明１と引用発明１とを対比すると、次のことがいえる。
ａ．引用発明１の「無線通信システム」と「ＵＥ」は、それぞれ本願発明１の「ワイヤレス通信ネットワーク」と「ユーザ機器(UE)」に相当する。また、引用発明１の「ネットワーク」は本願発明１の「ネットワークエンティティ」に相当する。
　そして、引用発明１の「ＵＥの電力を節約するための方法」は、電力管理の方法に含まれる。
　よって、引用発明１の「無線通信システムのＵＥの電力を節約するための方法」は、本願発明１の「ワイヤレス通信ネットワークにおける電力管理の方法」に含まれる。
ｂ．引用発明１では「閾値は、ＭＴＣデバイスであるか否かや、移動度無し状態及び／または低移動度状態にあるかでネットワークにより変更され、」及び「ネットワークは閾値としてＳintrasearch及び移動度状態に応じて当該閾値に適用されうるスケーリングファクタを提供」される。ここで、ＵＥは閾値を選択する上で、ＭＴＣデバイスであるか否か、つまりデバイスタイプを判別し、又は、移動度無し状態又は低移動度状態にあるか否か、つまり移動度に関する閾値に基づいて移動度状態を判別しているといえる。そして、引用発明１では、判別したデバイスタイプや移動度状態に基づいてＵＥは閾値を選択する上で、ＵＥがどのようなデバイスタイプか、あるいは、ＵＥがどのような移動度状態かを識別しているといえる。したがって、引用発明１は、本願発明１と同様に、「デバイスの特性、および/またはしきい値に基づいてユーザ機器(UE)を識別しているといえる。
　よって、本願発明１の「デバイスの特性、および/またはしきい値に基づいて、ユーザ機器(UE)が定常超長期バッテリーデバイス設定に従って動作していると識別するステップ」と、引用発明１の「閾値は、ＭＴＣデバイスであるか否かや、移動度無し状態及び／または低移動度状態にあるかでネットワークにより変更され、」及び「ネットワークは閾値としてＳintrasearch及び移動度状態に応じて当該閾値に適用されうるスケーリングファクタを提供」は、「デバイスの特性、および/またはしきい値に基づいて、ユーザ機器(UE)を識別するステップ」の点で共通する。
ｃ．引用発明１の「Ｓintrasearch」はアイドルモードセル測定のしきい値の一種であることは技術常識であるから、本願発明１の「アイドルモードセル測定しきい値」に含まれる。
　また、引用発明１では「ネットワークは閾値としてＳintrasearch及び移動度状態に応じて当該閾値に適用されうるスケーリングファクタを提供」することから、本願発明１と同様に、ＵＥでは閾値を調整するメッセージを受信し、閾値を調整するメッセージに基づいてアイドルモードセル測定しきい値を調整している。
　よって、引用発明１の「ネットワークは閾値としてＳintrasearch及び移動度状態に応じて当該閾値に適用されうるスケーリングファクタを提供」することは、本願発明１の「前記UEが測定しきい値調整メッセージを受信するステップ」及び「前記測定しきい値調整メッセージに基づいてアイドルモードセル測定しきい値を調整するステップ」に一致する。
　以上のことから、本願発明１と引用発明１との一致点及び相違点は、次のとおりである。
（一致点）
「ワイヤレス通信ネットワークにおける電力管理の方法であって、
　デバイスの特性、および/またはしきい値に基づいて、ユーザ機器(UE)を識別するステップと、
　前記UEが測定しきい値調整メッセージを受信するステップと、
　前記測定しきい値調整メッセージに基づいてアイドルモードセル測定しきい値を調整するステップと
　を含む、方法。」
（相違点）
１．ユーザ機器(UE)を識別するステップについて、本願発明１では「定常超長期バッテリーデバイス設定に従って動作していると識別する」のに対し、引用発明１では当該発明特定事項が特定されていない点。
２．アイドルモードセル測定しきい値を調整するための測定しきい値調整メッセージを受信するステップについて、本願発明１では「前記識別するステップにおいて識別された後、前記定常超長期バッテリーデバイス設定を有するとして前記UEを指定する信号を含む定常超長期バッテリーデバイス表示をネットワークエンティティに送信するステップと、
　前記定常超長期バッテリーデバイス設定を有するとして前記UEを指定する前記信号を含む定常超長期バッテリーデバイス表示をネットワークエンティティに送信する前記ステップに応答して、前記ネットワークエンティティが前記定常超長期バッテリーデバイス表示に基づいて前記UEが前記定常超長期バッテリーデバイス設定に従って動作していると識別した後、
　前記UEが測定しきい値調整メッセージを受信するステップ」であるのに対し、引用発明１では「ネットワークは閾値としてＳintrasearch及び移動度状態に応じて当該閾値に適用されうるスケーリングファクタを提供」すること、及び、「ＤＲＸ期間、定期的な更新タイマなどのいくつかのパラメータであって、ネットワーク及びＵＥは同期される必要がある場合は、ＵＥとネットワークとの間で調整が行われ、ＵＥはネットワークに対してトリガが満たされたことを指示し、当該ネットワークによる明確なインジケーションを待って、ＵＥは１つの状態へ移動する」ことが特定されているが、当該発明特定事項が特定されていない点。
（２）相違点についての判断
　事案に鑑みて、上記相違点２について先に検討する。
　引用発明１では、「ＤＲＸ期間、定期的な更新タイマなどのいくつかのパラメータであって、ネットワーク及びＵＥは同期される必要がある場合は、ＵＥとネットワークとの間で調整が行われ、ＵＥはネットワークに対してトリガが満たされたことを指示し、当該ネットワークによる明確なインジケーションを待って、ＵＥは１つの状態へ移動する」ものであるが、例えばアイドルモードセル測定しきい値であるＳintrasearchはネットワーク及びＵＥの間で同期される必要がない閾値であることから、引用発明１においてネットワークから調整される測定しきい値であるＳintrasearchをＵＥが受信する際に、「定常超長期バッテリーデバイス設定を有するとして前記UEを指定する信号を含む定常超長期バッテリーデバイス表示をネットワークエンティティに送信」を行う動機付けが見いだせない。
　また、技術的事項２、５及び６においても、アイドルモードセル測定しきい値であるＳintrasearchをＵＥが受信する際に、ＵＥからネットワークに対して「定常超長期バッテリーデバイス設定を有するとして前記UEを指定する信号を含む定常超長期バッテリーデバイス表示をネットワークエンティティに送信する」ことは行われておらず、本願優先日前において周知技術でもない。
　したがって、上記相違点１について判断するまでもなく、本願発明１は、引用発明１と同一ではなく、また、当業者であっても引用発明１、技術的事項２、５及び６に基づいて容易に発明をすることができたものであるとはいえない。
２．本願発明２ないし８について
　本願発明２ないし８も、本願発明１の「前記識別するステップにおいて識別された後、前記定常超長期バッテリーデバイス設定を有するとして前記UEを指定する信号を含む定常超長期バッテリーデバイス表示をネットワークエンティティに送信するステップと、
　前記定常超長期バッテリーデバイス設定を有するとして前記UEを指定する前記信号を含む定常超長期バッテリーデバイス表示をネットワークエンティティに送信する前記ステップに応答して、前記ネットワークエンティティが前記定常超長期バッテリーデバイス表示に基づいて前記UEが前記定常超長期バッテリーデバイス設定に従って動作していると識別した後、
　前記UEが測定しきい値調整メッセージを受信するステップ」の発明特定事項を備えるものであるから、本願発明１と同じ理由により、引用発明１と同一ではなく、また、当業者であっても、引用発明１、技術的事項２、５及び６に基づいて容易に発明をすることができたものとはいえない。
第７　原査定についての判断
　令和３年１月４日にされた手続補正により、補正後の請求項１ないし８に係る発明は、「前記識別するステップにおいて識別された後、前記定常超長期バッテリーデバイス設定を有するとして前記UEを指定する信号を含む定常超長期バッテリーデバイス表示をネットワークエンティティに送信するステップと、
　前記定常超長期バッテリーデバイス設定を有するとして前記UEを指定する前記信号を含む定常超長期バッテリーデバイス表示をネットワークエンティティに送信する前記ステップに応答して、前記ネットワークエンティティが前記定常超長期バッテリーデバイス表示に基づいて前記UEが前記定常超長期バッテリーデバイス設定に従って動作していると識別した後、
　前記UEが測定しきい値調整メッセージを受信するステップ」の発明特定事項を備えるものとなったが、当該構成は原査定における引用例１ないし６には記載されておらず、本願優先日前における周知技術でもないので、本願発明１ないし８は、引用発明１ではなく、また、当業者であっても、原査定における引用例１ないし６に記載された発明に基づいて容易に発明をすることができたものではない。したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。